(57)【要約】【課題】帯域制限されたＡＳＫ信号を正常に復調することができるＡＳＫ復調回路を提供する。【解決手段】入力ＡＳＫ信号を整流する整流回路（２）と、その出力波形の包絡線に追従する信号を出力する第１のローパスフィルタ（３）と、その出力信号の平均電圧信号を出力する第２のローパスフィルタ（８）と、第２のローパスフィルタの出力信号に正のオフセット電圧ΔＶを加えた電圧と第１のローパスフィルタの出力信号との大小関係を比較して結果を論理信号で出力するオフセット付きコンパレータ回路（９）とを備えて構成する。【選択図】図１
2006295319.tif 000002
【特許請求の範囲】
【請求項１】
入力ＡＳＫ信号を整流する整流回路（２）と、その出力波形の包絡線に追従する信号を出力する第１のローパスフィルタ（３）と、該第１のローパスフィルタの出力信号の平均電圧信号を出力する第２のローパスフィルタ（８）と、該第２のローパスフィルタの出力信号に正のオフセット電圧ΔＶを加えた電圧と前記第１のローパスフィルタの出力信号との大小関係を比較して結果を論理信号で出力するオフセット付きコンパレータ回路（９）とから成るＡＳＫ復調回路。
【請求項２】
入力ＡＳＫ信号を整流する整流回路（２）と、その出力波形の包絡線に追従する信号を出力する第１のローパスフィルタ（３）と、該第１のローパスフィルタの出力信号の平均電圧信号を出力する第２のローパスフィルタ（８）と、該第１、第２のローパスフィルタの出力信号の大小関係を比較して結果を論理信号で出力するヒステリシス付きコンパレータ回路（１５）とから成るＡＳＫ復調回路。
【発明の詳細な説明】
【技術分野】
【０００１】
本発明は、ＡＳＫ（Amplitude Shift Keying）信号波を復調するＡＳＫ復調回路に関する。
【背景技術】
【０００２】
ディジタル信号を無線送信する方式の一つとして、搬送波を論理「１」、「０」に対応したベースバンド波形で振幅変調して送信するＡＳＫ方式は呼ばれる方式がある。ＡＳＫ方式で送信された信号から元のベースバンド波形を取り出すにはＡＳＫ復調回路が用いられる。
【０００３】
図６は、従来のＡＳＫ復調回路の一例である。図７は、その動作を説明する波形図である。図７の（１）はＡＳＫ信号波の波形の例で、ベースバンド波形の論理「１」に相当する部分の振幅は一定値に、論理「０」に相当する部分の振幅はゼロとなるように変調されている場合の例である。ＡＳＫ信号波の復調は、受信電圧Ｖinを包絡線検波し、検波後の振幅電圧を所定のしきい値電圧と比較してベースバンド波形を再生することで行なわれる。
【０００４】
図６に示したＡＳＫ復調回路１では、受信電圧Ｖinをまず整流回路２にて整流して図７の（２）に示すように負の波形部分を切り取り、その信号を抵抗Ｒ１、コンデンサＣ１からなるローパスフィルタ３に供給する。ローパスフィルタ３は入力波形の極大点を滑らかにつなぎ、図７の（３）中のＶ１に示すような包絡線波形の信号Ｖ１（以下、包絡線電圧Ｖ１という。）を出力する。そして、この包絡線電圧Ｖ１をコンパレータＣＰ１にてしきい値電圧Ｖthと比較し、図７の（４）に示すような復調された出力信号Ｖout1を得るようにしている。
【０００５】
受信電圧Ｖinの論理「１」に対応する振幅は、無線電波の受信状態により変動する。従って、包絡線電圧Ｖ１中の論理「１」に対応する部分の振幅も変動する。この振幅が変動しても正しく論理「１」、「０」を判定できるようにするため、ＡＳＫ復調回路１では論理「１」、「０」の判定基準であるしきい値電圧Ｖthを包絡線電圧Ｖ１に基づいて生成するようにしている。即ち、包絡線電圧Ｖ１を積分回路４に供給し、包絡線電圧Ｖ１をＲ３／（Ｒ２＋Ｒ３）倍した電圧の平均値を取り出してしきい値電圧Ｖthとしている。
【０００６】
こうして取り出されたしきい値電圧Ｖthの波形は、図７の（３）中のＶthに示すようになる。時定数（Ｒ３・Ｃ２）の値を十分に大きくしておけば、しきい値電圧Ｖthの波形は包絡線電圧Ｖ１の平均値に等しいほぼ一定の電圧波形となる。しきい値電圧Ｖthがこのように受信電圧Ｖinの平均振幅に比例して変化することから、受信電波の強度が変動したとしてベースバンド波形への復調を正しく行なうことができる。
【０００７】
しかし、このＡＳＫ復調回路１には一つ問題がある。図７の（１）に示す受信電圧Ｖinの時刻ｔ１〜ｔ３期間のように論理「０」に対応する低振幅の期間が長く継続すると、コンデンサＣ２が放電してしきい値電圧Ｖthが図７の（３）の対応する部分に示すように低下を始める。
【０００８】
そして論理「０」に対応する受信電圧Ｖinに接近していき、時刻ｔ２以降では包絡線電圧Ｖ１と一致してしまう。そうすると、時刻ｔ２から次の論理「１」に対応する信号が入力される時刻ｔ３までの期間においては、図７の（４）の出力電圧Ｖout1の波形に示すように、本来は論理「０」が出力されるべきであるのにノイズ等により論理「１」が出力されることが生じうる。即ち、誤動作が発生する。論理「０」が継続する代わりに無信号の期間が長く継続した場合も同様である。
【０００９】
図８は、この論理「０」の期間あるいは無信号の期間が長く継続した場合の上記問題を解決するために提案されたＡＳＫ復調回路である（特許文献１参照）。このＡＳＫ復調回路１０では、ローパスフィルタ３の後にコンデンサＣ３と抵抗Ｒ４とからなる微分回路５が追加してある。ローパスフィルタ３の出力信号である包絡線電圧Ｖ１はこの微分回路５で微分され、微分された電圧が次段のヒステリシス付きコンパレータ回路６の差動入力端子間に入力される。
【００１０】
ＡＳＫ復調回路１０ではヒステリシス付きコンパレータ回路６内のコンパレータＣＰ２を単一電源Ｖddで動作させるために、ヒステリシス付きコンパレータ回路６の両差動入力端子はＶdd／２だけバイアスされている。従って、微分回路５で微分された電圧Ｖａの波形は図７の（５）に示すようになる。この電圧Ｖａがしきい値電圧Ｖth（この場合はＶdd／２）と比較され、図７の（６）に示すような出力電圧Ｖout2が出力される。
【００１１】
このＡＳＫ復調回路１０は包絡線電圧Ｖ１を微分した電圧Ｖａの大きさにより論理「１」、「０」の判定を行なうために、受信電圧Ｖin中の論理「０」の期間、あるいは無信号の期間が長く継続したとしても誤判定を生じない利点を有する。
【００１２】
しかし、車車間通信、あるいは車載器と路側機間の通信に広く採用されるようになった狭域通信（ＤＳＲＣ；Dedicated Short Range Communication）では、帯域制限したＡＳＫ信号が用いられる（例えば、ARIB STD-T75「狭域通信(DSRC)システム標準規格」）。
【００１３】
この帯域制限したＡＳＫ信号の波形は、図７の（７）に示すようになる。これを包絡線検波した電圧波形は図７の（８）に示すようになる。即ち、ベースバンド信号が論理「１」から「０」へ、あるいはその逆方向へ変化する部分に対応する波形部分の勾配が緩くなる。このような勾配の緩い包絡線電圧では、微分しても大きな振幅の微分波形を得ることができない。従って、図８に示したＡＳＫ復調回路１０には、帯域制限されたＡＳＫ信号の復調を旨く復調できないという弱点がある。
【特許文献１】特開２００１−２９２１８３号公報
【発明の開示】
【発明が解決しようとする課題】
【００１４】
本発明はこのような従来技術の問題点を解決するためになされたもので、その課題は、帯域制限されたＡＳＫ信号を正常に復調することのできるＡＳＫ復調回路を提供することにある。
【課題を解決するための手段】
【００１５】
前記課題を解決するための請求項１に記載の発明は、入力ＡＳＫ信号を整流する整流回路（２）と、その出力波形の包絡線に追従する信号を出力する第１のローパスフィルタ（３）と、該第１のローパスフィルタの出力信号の平均電圧信号を出力する第２のローパスフィルタ（８）と、該第２のローパスフィルタの出力信号に正のオフセット電圧ΔＶを加えた電圧と前記第１のローパスフィルタの出力信号との大小関係を比較して結果を論理信号で出力するオフセット付きコンパレータ回路（９）とから成るＡＳＫ復調回路である。
【００１６】
このような構成のＡＳＫ復調回路によれば、入力であるＡＳＫ信号中の論理「０」に対応する期間、又は無信号の期間が長く継続して第１のローパスフィルタの出力信号と第２のローパスフィルタの出力信号とが同一レベルになったとしても、オフセット付きコンパレータ回路にて比較しているため出力信号が不定になることはなく、ノイズで出力が変動することもない。また、内部に微分回路を設けていないので、帯域制限されたＡＳＫ信号の復調にも問題を生じない。
【００１７】
また、請求項２に記載の発明は、入力ＡＳＫ信号を整流する整流回路（２）と、その出力波形の包絡線に追従する信号を出力する第１のローパスフィルタ（３）と、該第１のローパスフィルタの出力信号の平均電圧信号を出力する第２のローパスフィルタ（８）と、該第１、第２のローパスフィルタの出力信号の大小関係を比較して結果を論理信号で出力するヒステリシス付きコンパレータ回路（１５）とから成るＡＳＫ復調回路である。
【００１８】
このような構成のＡＳＫ復調回路によれば、入力であるＡＳＫ信号中の論理「０」に対応する期間、又は無信号の期間が長く継続して第１のローパスフィルタの出力信号と第２のローパスフィルタの出力信号とが同一レベルになったとしても、ヒステリシス付きコンパレータ回路にて比較しているため出力信号が不定になることはなく、ノイズで変動することもない。また、内部に微分回路を設けていないので、帯域制限されたＡＳＫ信号の復調にも問題を生じない。
【発明を実施するための最良の形態】
【００１９】
以下、本発明に係るＡＳＫ復調回路を実施形態に分けて説明する。
（第１の実施形態）
図１は、本発明に係るＡＳＫ復調回路についての第１の実施形態の回路構成を示したものである。なお、図中、「背景技術」で説明した図６の復調回路と同一又は相当部分には同一符号が付してある。図２は、本ＡＳＫ復調回路２０の主要部の信号波形を示したものである。
【００２０】
本ＡＳＫ復調回路２０は、整流回路２、第１のローパスフィルタ３、第２のローパスフィルタ８、オフセット付きコンパレータ回路９を備えて構成される。整流回路２の入力端に、図２の（１）に示すような帯域制限されたＡＳＫ信号Ｖinが入力された場合について説明する（振幅は論理「１」に対応する部分で大きく、論理「０」に対応する部分で小さいものとする。）。整流回路２は、ＡＳＫ信号Ｖinの負の波形部分を切り取って図２の（２）に示すような波形にして第１のローパスフィルタ３に供給する。
【００２１】
第１のローパスフィルタ３は、抵抗Ｒ１とコンデンサＣ１を信号線と接地電位ＧＮＤとの間に並列接続した回路である。抵抗Ｒ１とコンデンサＣ１の値は、第１のローパスフィルタ３の出力電圧Ｖ１の波形が入力波形の包絡線形状となるように調整しておく。そのように調整した場合の出力電圧Ｖ１の波形は、図２の（３）中のＶ１で示す波形となる。以下、この出力電圧Ｖ１を包絡線電圧Ｖ１と呼ぶ。
【００２２】
包絡線電圧Ｖ１は第２のローパスフィルタ８に供給される。第２のローパスフィルタ８は、信号線と接地電位ＧＮＤとの間に抵抗Ｒ７とコンデンサＣ４を、コンデンサＣ４を接地電位ＧＮＤ側にして直列接続したフィルタである。出力信号は抵抗Ｒ７とコンデンサＣ４の相互接続点から取り出される。この第２のローパスフィルタ８の出力信号を基準側電圧Ｖ２と呼ぶことにする。
【００２３】
抵抗Ｒ７の値は、第１のローパスフィルタ３の負荷とならないように大きな値にしておく。また、コンデンサＣ４の値も、時定数（Ｒ７・Ｃ４）の値が大きくなるように決めておく。このように抵抗Ｒ７、コンデンサＣ４の値を決めておくと、基準側電圧Ｖ２は包絡線電圧Ｖ１を更に平滑した電圧となり、図２の（３）中のＶ２で示すような包絡線電圧Ｖ１のほぼ平均電圧を表わす波形となる。
【００２４】
包絡線電圧Ｖ１と基準側電圧Ｖ２とは、次段のオフセット付きコンパレータ回路９に入力される。オフセット付きコンパレータ回路９は、オフセットもヒステリシスも持たないコンパレータＣＰ３と抵抗Ｒ８と定電流源ＣＳ１により構成される。コンパレータＣＰ３の非反転入力端子は、オフセット付きコンパレータ回路９の非反転入力端子１１に接続される。抵抗Ｒ８は、オフセット付きコンパレータ回路９の反転入力端子１２とコンパレータＣＰ３の反転入力端子との間に接続される。定電流源ＣＳ１は、抵抗Ｒ８の両端に接続される。そして、抵抗Ｒ８に定電流Ｉoを反転入力端子１２側に向けて流す。これによりコンパレータＣＰ３の反転入力端子の電圧は、オフセット付きコンパレータ回路９の反転入力端子１２の電圧より電圧（Ｒ８・Ｉo）だけ高くなる。
【００２５】
コンパレータＣＰ３の反転入力端子の電圧がオフセット付きコンパレータ回路９の反転入力端子１２の電圧より電圧（Ｒ８・Ｉo）だけ高いため、非反転入力端子１１の電圧が反転入力端子１２の電圧に電圧（Ｒ８・Ｉo）を加えた値より高いときにオフセット付きコンパレータ回路９の出力信号Ｖoutは高レベルとなり、低いときに低レベルとなる。即ち、オフセット付きコンパレータ回路９は、電圧（Ｒ８・Ｉo）だけのオフセットを持つ。この電圧（Ｒ８・Ｉo）をオフセット電圧ΔＶoffと呼ぶことにする。
【００２６】
包絡線電圧Ｖ１はオフセット付きコンパレータ回路９の非反転入力端子１１に入力され、基準側電圧Ｖ２はオフセット付きコンパレータ回路９の反転入力端子１２に入力される。オフセット付きコンパレータ回路９がΔＶoffだけのオフセットを持つため、包絡線電圧Ｖ１の値が基準側電圧Ｖ２にオフセット電圧ΔＶoffを加えた値より高いときに出力信号Ｖoutは高レベルとなり、低いときに低レベルとなる。
【００２７】
図２の（３）中のＶthの波形は、基準側電圧Ｖ２にこのオフセット電圧ΔＶoffを加えた電圧の波形を示している。即ち、このＶthがこのオフセット付きコンパレータ回路９のしきい値電圧であり、包絡線電圧Ｖ１がこのしきい値電圧Ｖthより高いときには出力信号Ｖoutは高レベル、低いときには低レベルとなる。従って、出力信号Ｖoutの波形は図２の（４）に示すようになり、ＡＳＫ信号Ｖinに含まれるベースバンド信号波形が再生される。
【００２８】
次に、論理「０」の期間が長く継続するベースバンド信号で変調されたＡＳＫ信号Ｖinが入力された場合を説明する。図２の（１）中の時刻ｔ１〜ｔ３の期間がこれに相当する。論理「０」の期間が長く継続すると、包絡線電圧Ｖ１は接地電位ＧＮＤに近づく。同時に基準側電圧Ｖ２もコンデンサＣ４が放電して接地電位ＧＮＤに近づく。そして、例えば時刻ｔ２において両者の値は一致するようになる。
【００２９】
包絡線電圧Ｖ１と基準側電圧Ｖ２とが一致した場合、コンパレータ回路９にオフセットがないとすると出力信号Ｖoutはノイズによって高レベルとなったり低レベルとなったりする。そのような信号が出力されると、出力信号Ｖoutを利用する次段の回路が誤作動を起こすことになる。
【００３０】
本実施形態のＡＳＫ復調回路２０の場合には、コンパレータ回路９がΔＶoffだけのオフセットを持っている。従って、包絡線電圧Ｖ１と基準側電圧Ｖ２とが一致したとしても、抵抗Ｒ７の両端にオフセット電圧ΔＶoff以上のノイズ電圧が乗らない限り出力信号Ｖoutは変化せず、低レベルの一定電圧が出力される。入力であるＡＳＫ信号Ｖinが無信号状態となる状態が継続した場合も同様である。
【００３１】
このように動作することから本実施形態のＡＳＫ復調回路２０では、入力であるＡＳＫ信号Ｖin中の振幅の小さい論理「０」の期間又は無信号の期間が長く継続したとしても出力信号Ｖoutが不安定になることはなく、論理「０」に対応した電圧が出力される。従って、出力信号Ｖoutを利用する次段の回路に誤作動を生じさせない効果を奏する。出力信号Ｖoutの波形は図２の（４）に示すようになり、ＡＳＫ信号Ｖinに含まれるベースバンド信号波形が正しく再現される。また、内部に微分回路を設けていないので、帯域制限されたＡＳＫ信号の復調にも問題を生じさせない利点を有する。
【００３２】
なお、オフセット付きコンパレータ回路には様々な回路構成が考えられ、例えば図３の（１）、（２）に示すような回路構成でもよい。図３の（１）、（２）に示す回路は何れもセル面積の等しいＰＭＯＳトランジスタＰ１、Ｐ２と定電流源ＣＳ２で構成した差動増幅回路に、負荷として同じくセル面積の等しいＮＭＯＳトランジスタＮ１、Ｎ２で構成したカレントミラー型の能動負荷を接続したものである。図３の（１）の回路では抵抗Ｒ３１を追加することにより負荷バランスを崩してオフセットを生成している。また、図３の（２）の回路では抵抗Ｒ３２を追加することにより差動増幅部のバランスを崩してオフセットを生成している。従って、何れの回路もオフセット付きコンパレータ回路として動作する。
【００３３】
（第２の実施形態）
図４は、本発明に係るＡＳＫ復調回路についての第２の実施形態の回路構成を示したものである。なお、図中、第１の実施形態で説明した図１のＡＳＫ復調回路２０と同一又は相当部分には同一符号が付してある。図５は、本ＡＳＫ復調回路３０の主要部の信号波形を示したものである。
【００３４】
本ＡＳＫ復調回路３０は、整流回路２、第１のローパスフィルタ３、第２のローパスフィルタ８、ヒステリシス付きコンパレータ回路１５を備えて構成される。整流回路２の入力端に第１の実施形態と同様に図５の（１）に示すような帯域制限されたＡＳＫ信号Ｖinが入力された場合について説明する。整流回路２はＡＳＫ信号Ｖinの負の波形部分を切り取り、図５の（２）に示すような波形にして第１のローパスフィルタ３に供給する。
【００３５】
本ＡＳＫ復調回路３０の整流回路２、第１のローパスフィルタ３、第２のローパスフィルタ８は、第１の実施形態に係るＡＳＫ復調回路２０中の対応する回路と同じ構成である。従って、第１のローパスフィルタ３の出力信号である包絡線電圧Ｖ１、第２のローパスフィルタ８の出力信号である基準側電圧Ｖ２の波形は第１の実施形態の場合と同様になる。それらの波形を図５の（３）中のＶ１、Ｖ２に示す。
【００３６】
本実施形態では、オフセット付きコンパレータ回路９の代わりにヒステリシス付きコンパレータ回路１５を使用している。ヒステリシス付きコンパレータ回路１５は、オフセットもヒステリシスも持たないコンパレータＣＰ４と抵抗Ｒ１１、Ｒ１２、インバータＩＮＶ１により構成される。
【００３７】
コンパレータＣＰ４の反転入力端子は、ヒステリシス付きコンパレータ回路１５の反転入力端子１６に接続される。抵抗Ｒ１１はコンパレータＣＰ４の出力端子と非反転入力端子との間に接続される。抵抗Ｒ１２はコンパレータＣＰ４の非反転入力端子とヒステリシス付きコンパレータ回路１５の非反転入力端子１７との間に接続される。コンパレータＣＰ４の出力信号はインバータＩＮＶ１に入力される。インバータＩＮＶ１の出力信号がヒステリシス付きコンパレータ回路１５の出力信号Ｖoutとなる。
【００３８】
包絡線電圧Ｖ１はヒステリシス付きコンパレータ回路１５の反転入力端子１６に入力され、基準側電圧Ｖ２はヒステリシス付きコンパレータ回路１５の非反転入力端子１７に入力される。コンパレータＣＰ４の出力電圧をＶoとすると、コンパレータＣＰ４の非反転入力端子の電圧Ｖｐは次のように計算される。
Ｖｐ＝Ｖ２／（１＋Ｒ１２／Ｒ１１）＋Ｖo／（１＋Ｒ１１／Ｒ１２）
包絡線電圧Ｖ１がこの電圧Ｖｐより大きいとコンパレータＣＰ４の出力電圧Ｖoは低レベルの一定電圧、小さいと高レベルの一定電圧となる。
【００３９】
出力電圧Ｖoの低レベル側の飽和電圧をＶlow、高レベル側の飽和電圧をＶhighとする。コンパレータＣＰ４の出力電圧ＶoがＶlowである場合の電圧Ｖｐの値をＶthl、出力電圧ＶoがＶhighである場合の値をＶthhとする。それらの値は次のようになる。
Ｖthl＝Ｖ２／（１＋Ｒ１２／Ｒ１１）＋Ｖlow／（１＋Ｒ１１／Ｒ１２）
Ｖthh＝Ｖ２／（１＋Ｒ１２／Ｒ１１）＋Ｖhigh／（１＋Ｒ１１／Ｒ１２）
即ち、コンパレータＣＰ４の非反転入力端子の電圧Ｖｐは、コンパレータＣＰ４の出力電圧Ｖoの値によってＶthlとＶthhの２つの値をとる。
【００４０】
包絡線電圧Ｖ１の値が基準側電圧Ｖ２より十分に低い場合には出力電圧ＶoはＶhighとなって、非反転入力端子の電圧ＶｐはＶthhとなっている。この状態から出発してコンパレータＣＰ４の出力が高レベルに反転するには、包絡線電圧Ｖ１がＶthhより高くなる必要がある。
【００４１】
反対に包絡線電圧Ｖ１の値が基準側電圧Ｖ２より十分に高い場合には出力電圧ＶoはＶlowとなって、非反転入力端子の電圧ＶｐはＶthlとなっている。この状態から出発してコンパレータＣＰ４の出力が低レベルに反転するには、包絡線電圧Ｖ１がＶthlより低くなる必要がある。ところで、ＶthlとＶthhとは、Ｖthh＞Ｖthlの関係にある。従って、コンパレータ回路１５は（Ｖthh−Ｖthl）だけのヒステリシスをもっていることになる。Ｖthl、Ｖthhはこのコンパレータ回路１５のしきい値電圧Ｖthである。
【００４２】
包絡線電圧Ｖ１が変化するとそれに伴って基準側電圧Ｖ２も緩やかに変化する。コンパレータＣＰ４の出力電圧Ｖoが変化するとしきい値電圧Ｖthも変化する。図５の（３）には、包絡線電圧Ｖ１、基準側電圧Ｖ２、しきい値電圧Ｖthの変化を示す。また、図５の（４）にはインバータＩＮＶ１の出力信号Ｖoutの波形を示す。
【００４３】
図５の（３）に示すように、基準側電圧Ｖ２の波形は包絡線電圧Ｖ１を更に平滑化した波形となる。時刻ｔ１〜ｔ２の期間のように包絡線電圧Ｖ１が基準側電圧Ｖ２よりかなり低い場合には、出力信号Ｖoutは低レベルとなる。このとき、コンパレータ回路１５のしきい値電圧Ｖthは高い値のＶthhとなっている。時刻ｔ２において包絡線電圧Ｖ１がこの高い値のＶthhを上回ると出力信号Ｖoutは高レベルに反転する。反転するとしきい値電圧Ｖthは低い値のＶthlに切り換わる。このＶthlとＶthhの曲線をつないだ曲線がしきい値電圧Ｖthの変化曲線である。
【００４４】
出力信号Ｖoutが反転する度にしきい値電圧Ｖthも切り換わり、その切り換わりにより次に出力信号Ｖoutを反転させるための包絡線電圧Ｖ１の変化のしきいが高くなる。このしきいが高くヒステリシスが存在することにより、ＡＳＫ復調回路３０はノイズに対して強くなる。
【００４５】
次に、振幅が小さくなる論理「０」の期間が長く継続するＡＳＫ信号Ｖinが入力された場合を説明する。図５の（１）中の時刻ｔ３〜ｔ５の期間がこれに相当する。論理「０」の期間が長く継続すると、図５の（３）に示すように包絡線電圧Ｖ１は接地電位ＧＮＤに近づく。同時に基準側電圧Ｖ２もコンデンサＣ４が放電して接地電位ＧＮＤに近づく。そして、例えば時刻ｔ４において両者の値は一致するようになる。
【００４６】
包絡線電圧Ｖ１と基準側電圧Ｖ２とが一致した場合にコンパレータ回路１５にオフセットがないとすると、出力信号Ｖoutはノイズによって誤動作を起こす。本実施形態のＡＳＫ復調回路３０の場合には、時刻ｔ３において包絡線電圧Ｖ１が低い値のしきい値電圧Ｖthlを下回り出力信号Ｖoutが低レベルになっている。その瞬間にしきい値電圧Ｖthは高い値のしきい値電圧Ｖthhに切り換わっている。従って、時刻ｔ４において包絡線電圧Ｖ１と基準側電圧Ｖ２とが一致したとしても出力信号Ｖoutは低レベルのままでなる。包絡線電圧Ｖ１を高い値のしきい値電圧Ｖthh以上とするようなノイズが乗らない限り、出力信号Ｖoutとしては、低レベルの一定電圧が出力される。入力であるＡＳＫ信号Ｖinが無信号状態となる状態が継続した場合も同様である。
【００４７】
このように動作することから本実施形態のＡＳＫ復調回路３０では、入力であるＡＳＫ変調信号Ｖin中の振幅が小さくなる論理「０」の期間、又は無信号の期間が長く継続したとしても出力信号Ｖoutが不安定になることはなく、論理「０」に対応した電圧が出力される。従って、出力信号Ｖoutを利用する次段の回路に誤作動を生じさせない効果を奏する。出力信号Ｖoutの波形は図５の（４）に示すようになり、ＡＳＫ信号Ｖinに含まれるベースバンド信号波形が正しく再現される。また、内部に微分回路を設けていないので、帯域制限されたＡＳＫ信号の復調にも問題を生じさせない利点を有する。
【図面の簡単な説明】
【００４８】
【図１】第１の実施形態に係るＡＳＫ復調回路の回路構成である。
【図２】第１の実施形態に係るＡＳＫ復調回路の主要部の信号波形である。
【図３】オフセット付きコンパレータ回路の他の例である。
【図４】第２の実施形態に係るＡＳＫ復調回路の回路構成である。
【図５】第２の実施形態に係るＡＳＫ復調回路の主要部の信号波形である。
【図６】従来技術に係るＡＳＫ復調回路の構成例である。
【図７】従来技術に係るＡＳＫ復調回路の信号波形である。
【図８】従来技術に係るＡＳＫ復調回路の他の構成例である。
【符号の説明】
【００４９】
図面中、２は整流回路、３は第１のローパスフィルタ、８は第２のローパスフィルタ、９はオフセット付きコンパレータ回路、１５はヒステリシス付きコンパレータ回路、２０、３０はＡＳＫ復調回路を示す。
【図１】
2006295319.tif 000003
【図２】
2006295319.tif 000004
【図３】
2006295319.tif 000005
【図４】
2006295319.tif 000006
【図５】
2006295319.tif 000007
【図６】
2006295319.tif 000008
【図７】
2006295319.tif 000009
【図８】
2006295319.tif 000010